(57)【要約】      （修正有）【課題】紙片集積箱内に平均して徐々に堆積し、紙片集積箱の紙片を落とす空間を広げ、落下した紙片が山形を形成して後続の紙片の落下を妨げるのを防止するシュレッダー落紙口の紙片除去機構の提供。【解決手段】シュレッダー落紙口の紙片除去機構１４は、モーター及び伝動ギアを含むカッター具総合ユニット１１で、紙片を集めた紙片集積箱１３をカッター具総合ユニット下方に設置する。筐体の落紙口付近には振動板１４２を設置し、その振動板は連桿１４３と伝動軸１４１を連結し、伝動軸の一端の追動ギア１４４は、カッター具総合ユニットによる動力回転を受け、伝動ギアが回転すると、連桿を通して振動板を前後に往復移動させ、カッター軸を通過した紙片を平均して紙片集積箱に落とすので、平らに落ちる状態で徐々に堆積する。【選択図】図３
0003130511.tif 000002
【実用新案登録請求の範囲】
【請求項１】
シュレッダー落紙口の紙片除去機構において、
モーター及び伝動ギア等部品から構成されるカッター具総合ユニットと、
上述のカッター具総合ユニットを納置するシュレッダーの筐体と、
上述のシュレッダーの筐体下方に設置して紙片を集める紙片集積箱と、
上述のカッター具総合ユニットの下方に設置して往復式移動でカッター具総合ユニットがカットした紙片を平均して紙片集積箱に集める紙片除去機構を含むことを特徴とするシュレッダー落紙口の紙片除去機構。
【請求項２】
前記紙片除去機構は、伝動軸及び振動板を含むことを特徴とする請求項１記載のシュレッダー落紙口の紙片除去機構。
【請求項３】
前記伝動軸は、追動ギアを設置してカッター具総合ユニットの動力回転を受けることを特徴とする請求項２記載のシュレッダー落紙口の紙片除去機構。
【請求項４】
前記振動板は、連桿と伝動軸によって結合されることを特徴とする請求項２記載のシュレッダー落紙口の紙片除去機構。
【請求項５】
前記振動板と伝動軸の両端は、それぞれ連接板が設置され、連桿両端はそれぞれ連接板に固定され、連桿が動くことによって振動板が前後往復式振動を行うことを特徴とする請求項２記載のシュレッダー落紙口の紙片除去機構。
【考案の詳細な説明】
【技術分野】
【０００１】
本考案は、シュレッダーに関するもので、特にカッター軸の回転に従って振動板を相対して前後に振動させる紙片除去機構を指し、カッター軸を通って落下する紙片を平均して紙片集積箱に落とすことにより、箱内に平均して徐々に堆積し、紙片集積箱の紙片を落とす空間を広げ、落下した紙片が山形を形成して後続の紙片の落下を妨げるのを防止するものである。
【背景技術】
【０００２】
一般のシュレッダーの基本作動原理は、多数の切削カッター（ｃｕｔｔｉｎｇ ｂｌａｄｅｓ）にスペーサー（ｓｐａｃｅｒｓ）を設置して回転カッター軸（ｒｏｔａｒｙ  ｓｈａｆｔｓ）上に差し込み、モーター及びギア装置（ｍｏｔｏｒ  ａｎｄ  ｇｅａｒ  ｂｏｘ）で二本の平行且つ相対して回転するカッター軸を駆動し、通過する紙をカット力で紙を細長く切るものである。またシュレッダーは、機械の切削モジュールと異なり、区分が直線式シュレッダー（ｓｔｒｉｐｅ−ｃｕｔ  ｓｈｒｅｄｄｅｒｓ）及びクロスカット式シュレッダー（ｃｒｏｓｓ−ｃｕｔ  ｓｈｒｄｄｅｒｓ）の二種に分かれ、前者は切削用カッターを回転カッター輪上に排列して紙を縦方向に細長く切る。後者のカッター上には一個以上の鈎状刃を具え、且つカッター片は回転カッター輪上で螺旋状に排列し、紙を縦方向で細長形状に切るだけでなく、更に横方向にも裁断して細かい紙片にする。
【０００３】
上述の直線式シュレッダー、もしくはクロスカット式シュレッダーのどちらにしても、販売時にはカットした紙片を溜めておく紙片集積箱（ｂａｓｋｅｔ  ｏｒ  ｂｉｎ）が設置される。つまり、シュレッダーのカッターは、モーター及びギア装置で平行且つ相対して回転するカッター軸二本を駆動し、通過した紙はカット力によって細長状、もしくはチップ状にカットされ、シュレッダー底部の落紙口から下に向けて紙片集積箱内に落下する。紙をカットする数が増えるに従い、溜まる紙片が増えて、山形に堆積し、これを俗に紙の山（ｃｈｉｐ  ｍｏｕｎｔａｉｎ）という。この紙の山がシュレッダーの落紙口付近まで達すると、後続の紙片がスムーズに落下するのを妨げるだけでなく、紙片がカッター軸に巻きこまれ、カッター片の隙間に雑紙が挟まれて紙詰まり（ｊａｍ）を発生し、シュレッダー全体の運転に影響を与える。
【０００４】
解決しようとする問題点は、「紙の山」が形成された時、使用者は手で山形になった紙片を四方に均して平らにしなければならず、さもないと、紙片集積箱の紙片落下空間を広げて上述のように紙の山が後続の紙片の落下を妨げ、またカッター軸に紙片が巻きこまれて紙詰まりを起こしてしまう点である。
【考案の開示】
【考案が解決しようとする課題】
【０００５】
カッター軸の回転に従って振動板を前後に振動させる紙片除去機構は、カッター軸を通過する紙片を平均して紙片集積箱に落とし、平らな状態で徐々に堆積することにより、紙片集積箱に紙片落下空間を広げ、山形に堆積する紙片を改善し、後続の紙片がスムーズに落下してシュレッダー全体の運用能力に影響を与えないことを、本考案の主な目的とする。
【０００６】
上述の目的のため、このシュレッダーは、モーター及び伝動ギアを含むカッター具総合ユニットを筐体内に納置し、紙片を集める紙片集積箱をカッター具総合ユニット下方に設置する。筐体の落紙口付近には振動板が設置され、その振動板は連桿と伝動軸の連結により、伝動軸一端の追動ギアは、カッター具総合ユニットの動力回転を受け、伝動軸が回転すると、連桿を通して振動板が前後に往復移動する。
【課題を解決するための手段】
【０００７】
請求項１の考案は、シュレッダー落紙口の紙片除去機構において、
モーター及び伝動ギア等部品から構成されるカッター具総合ユニットと、
上述のカッター具総合ユニットを納置するシュレッダーの筐体と、
上述のシュレッダーの筐体下方に設置して紙片を集める紙片集積箱と、
上述のカッター具総合ユニットの下方に設置して往復式移動でカッター具総合ユニットがカットした紙片を平均して紙片集積箱に集める紙片除去機構を含むことを特徴とするシュレッダー落紙口の紙片除去機構としている。
請求項２の考案は、前記紙片除去機構は、伝動軸及び振動板を含むことを特徴とする請求項１記載のシュレッダー落紙口の紙片除去機構としている。
請求項３の考案は、前記伝動軸は、追動ギアを設置してカッター具総合ユニットの動力回転を受けることを特徴とする請求項２記載のシュレッダー落紙口の紙片除去機構としている。
請求項４の考案は、前記振動板は、連桿と伝動軸によって結合されることを特徴とする請求項２記載のシュレッダー落紙口の紙片除去機構としている。
請求項５の考案は、前記振動板と伝動軸の両端は、それぞれ連接板が設置され、連桿両端はそれぞれ連接板に固定され、連桿が動くことによって振動板が前後往復式振動を行うことを特徴とする請求項２記載のシュレッダー落紙口の紙片除去機構としている。
【考案の効果】
【０００８】
本考案のシュレッダー落紙口の紙片除去機構は、紙片集積箱内に平均して徐々に堆積し、紙片集積箱に紙片を落とす空間を広げ、落下した紙片が山形を形成して後続の紙片の落下を妨げるのを防止し、シュレッダー全体の運転を妨げないという利点がある。
【考案を実施するための最良の形態】
【０００９】
図１は、本考案の紙片除去機構の構造分解図で、図２は本考案の紙片除去機構の構造外観立体図、図３は本考案の紙片除去機構の作動表示図である。
【００１０】
本考案は基本的に、モーター及び伝動ギア等の部品を含むカッター具総合ユニット１１、上述のカッター具総合ユニット１１を納置するシュレッダーの筐体１２、カットした紙を集めておく紙片集積箱１３、及び紙片除去機構１４を含む。
【００１１】
そのうち、カッター具総合ユニット１１は、主にモーターで伝動ギア１１１を通し、二本の平行且つ相対して回転するカッター軸１１２を動かし、通過する紙をカット力で細長く切るか、もしくは紙をチップ状に細かく切る。この紙片はカッター具総合ユニット１１下方にある紙片集積箱１３内に溜まる。
【００１２】
紙片除去機構１４は、伝動軸１４１及び振動板１４２を含み、そのうち、伝動軸１４１一端の追動ギア１４４はカッター軸１１２からの伝動ギアの動力回転を受ける。振動板１４２は連桿１４３と伝動軸１４１を連結して一体にすることにより、そのうち振動板１４２と伝動軸１４１両端には各々連接板１４５を設置し、また連桿１４３両端は、それぞれ連接板１４５上に固定する。伝動軸１４１が回転すると、連桿１４３を通して振動板１４２が前後に往復移動し、カッター軸１１２を通過した紙片を振動板１４２の前後往復運動を通して平均して紙片集積箱１３に落とし、平らな状態で紙片が集積され、紙片が落ちる空間を広げ、紙片の紙の山が形成されるのを防止し、後続の紙片がスムーズに落下してシュレッダー全体の運転機能に影響を与えるのを防止する。
【図面の簡単な説明】
【００１３】
【図１】本考案の紙片除去機構の構造分解図である。
【図２】本考案の紙片除去機構の構造立体図である。
【図３】本考案の紙片集積箱の振動動作表示図である。
【符号の説明】
【００１４】
１      シュレッダー
１１    カッター具総合ユニット
１１１  伝動ギア
１１２  カッター軸
１２    筐体
１３    紙片集積箱
１４    紙片除去機構
１４１  伝動軸
１４２  振動板
１４３  連桿
１４４  追動ギア
１４５  連接板
【図１】
0003130511.tif 000003
【図２】
0003130511.tif 000004
【図３】
0003130511.tif 000005